(57)【要約】【課題】  前面基板と背面基板との分解時間を短縮させてリサイクル化を低コストで実現可能とする画像表示装置を提供する。  【解決手段】  前面基板１と背面基板２との間にそれぞれ封着部材１０ａ，１０ｂを介して接合固定された支持枠３は、そのコーナー部の端面に内側から外側に向かって空間領域が拡がる切れ込み３ａが一体的に設けられ、これらの切れ込み３ａにはそれぞれ封着部材１０ａ，１０ｂが固着されない構造となっている。【選択図】  図４
2006120478.tif 000002
【特許請求の範囲】
【請求項１】
内面に陽極及び蛍光体を有する前面基板と、
複数の電子源を内面に有し、且つ前記前面基板と所定の間隔を有して対向配置された背面基板と、
前記前面基板と前記背面基板との間に形成される表示領域を周回して介挿され、且つ前記所定の間隔を保持する枠状の支持体と、
を備え、
前記支持体の両端面の少なくとも一方の端面の外側に空間領域が形成される切れ込み部を設けたことを特徴とする画像表示装置。
【請求項２】
前記切れ込み部は、前記支持体の少なくとも一方のコーナー部に設けたことを特徴とする請求項１に記載の画像表示装置。
【請求項３】
前記切れ込み部は、前記前面基板側及び前記背面基板側の少なくとも一方の角部に設けたことを特徴とする請求項２に記載の画像表示装置。
【請求項４】
前記切れ込み部は、前記支持体の少なくとも一方の辺部に設けたことを特徴とする請求項１に記載の画像表示装置。
【請求項５】
前記切れ込み部の深さは、当該支持体の端面の幅寸法よりも浅くして形成されたことを特徴とする請求項１乃至請求項４の何れかに記載の画像表示装置。
【発明の詳細な説明】
【技術分野】
【０００１】
本発明は、前面基板と背面基板との間に形成される真空中への電子放出を利用した画像表示装置に係り、特に両基板間を所定間隔に保持固定させる支持体の構造に関するものである。
【背景技術】
【０００２】
高輝度，高精細に優れたディスプレイデバイスとして従来からカラー陰極線管が広く用いられている。しかしながら、近年の情報処理装置やテレビ放送の高画質化に伴い、高輝度，高精細の特性を有すると共に軽量化，薄型化を実現可能とした平板型ディスプレイ（パネルディスプレイ）の要求が高まっている。
【０００３】
その典型的な例として液晶表示装置，プラズマ表示装置などが実用化されている。また、特に高輝度化が可能なものとして電子源から真空中への電子放出を利用した画像表示装置（以下、電子放出型表示装置または電界放出型表示装置と呼ばれる。［以下、ＦＥＤと呼ぶ］）や低消費電力を特徴とする有機ＥＬディスプレイなど種々の型式のパネル型表示装置の実用化も図られている。
【０００４】
このようなパネル型表示装置のうち、上記電子放出型表示装置には、C.A.Spindtらにより発案された電子放出構造を有するもの、メタル−インシュレータ−メタル（ＭＩＭ）型の電子放出構造を有するもの、量子論的トンネル効果による電子放出現象を利用する電子放出構造（表面伝導型電子源とも呼ばれる）を有するもの、さらにはダイアモンド膜やグラファイト膜，カーボンナノチューブの有する電子放出現象を利用するものなどが知られている。
【０００５】
また、このようなパネル型表示装置のうち、電界放出型画像表示装置は、内面に電界放出型の電子源を有する陰極配線及び制御電極などを形成した背面基板と、この背面基板と対向する内面に陽極及び蛍光体を形成した前面基板とを両基板内周縁部に支持枠を介挿して貼り合わせて気密封着してパネルとし、そのパネルの密閉空間を外界の気圧より低圧または真空状態に保持されて構成される。上記制御電極は陰極配線とは絶縁層を介してあるいは絶縁間隙を有して当該陰極配線と交差させて設置される。
【０００６】
また、上記制御電極には、陰極配線上に有する電子源からの電子を通過させる単数または複数の開孔を画素毎に有している。さらに背面基板と前面基板との間の間隔を所定値の間隔に保持するために当該背面基板と前面基板との間に間隔保持部材が介在されている。なお、この間隔保持部材は、例えばガラスやセラミックスの薄板で形成され、画素を避けた位置に植立される。
【０００７】
図１０は、従来のこの種のパネル型表示装置としての画像表示装置の構成を説明する要部断面図である。この画像表示装置は、複数の電子放出素子５を搭載した背面基板２と、この背面基板２に対向して配置されるとともに電子放出素子５から放出される電子線の照射により画像が形成される画像形成部材６を搭載した前面基板１と、背面基板２と前面基板１との間にあって背面基板２及び前面基板１の周縁部を支持する枠状の支持枠３と、前面基板１と背面基板２との間に支柱として配置されるスペーサ（間隔保持部材）４とから構成されている。
【０００８】
このように構成される画像表示装置は、図１１に要部拡大断面図で示すように、前面基板１と背面基板２との対向間の周縁部に、断面が略矩形状のガラス部材を枠状に組み立てて形成した支持枠３が、その両端面に例えばフリットガラス材からなる封着部材により接着されて接合固定されている。さらに、この周縁部の内側にはガラス部材からなるスペーサ４が、その両端面に例えばフリットガラス材からなる固定部材（フリットガラス）を介在させて接着固定されている。これによって、耐大気圧強度及び耐衝撃性を向上させている。この種の画像表示装置に関しては、例えば下記特許文献１等に開示されている。
【０００９】
【特許文献１】特許第３２４１２１９号（特開平７−２３０７７６号公報）
【発明の開示】
【発明が解決しようとする課題】
【００１０】
しかしながら、特許文献１に記載されている画像表示装置は、前面基板１と背面基板２との間に支持枠３がその両端面に封着部材を介して完全に密着されて固着された構造となっているので、例えば、パネルの内部の一部分に不良個所が発生し、前面基板１または背面基板２の一方または両方を再利用する場合には、前面基板１と背面基板２とを封着する支持枠部分から２つに分解（分離）することが行われる。その際に両基板の何れか一方または両方が破損し、良品として再利用することが極めて困難となるという課題があった。換言すれば、リサイクル化を考慮したパネル構造が採用されていなかった。
【００１１】
また、前面基板１と背面基板２とを分解（分離）する際に両基板を無損傷に近い状態で分解するには、多大な作業時間を要し、製造コストが高価となるという課題があった。
【００１２】
したがって、本発明は前述した従来の課題を解決するためになされたものであり、その目的は、分解時間を短縮させてリサイクル化を低コストで実現可能とする画像表示装置を提供することにある。
【課題を解決するための手段】
【００１３】
このような目的を達成するために本発明による画像表示装置は、内面に陽極及び蛍光体を有する前面基板と、複数の電子源を内面に有し、且つ前面基板と所定の間隔を有して対向配置された背面基板と、前面基板と背面基板との間に形成される表示領域を周回して介挿され、且つ所定の間隔を保持する支持体とから構成され、この支持体の両端面の少なくとも一方の端面の外側角部に内側から外側に向かって空間領域が拡がる切れ込み部を設けることにより、この切れ込み部に機械的な歪を入れ易くなるので、背景技術の課題を解決することができる。
【００１４】
また、本発明による他の画像表示装置は、好ましくは、上記構成において、切れ込み部は、支持体の少なくとも一方のコーナー部に設けることにより、分解時にこの切れ込み部に容易に機械的な歪を入れ易くなるので、背景技術の課題を解決することができる。
【００１５】
また、本発明による他の画像表示装置は、好ましくは、上記構成において、切れ込み部は前面基板側及び背面基板側の少なくとも一方の角部に設けることにより、分解時にこの切れ込み部に容易に機械的な歪を入れ易くなるので、背景技術の課題を解決することができる。
【００１６】
また、本発明による他の画像表示装置は、好ましくは、上記構成において、切れ込み部は、支持体の少なくとも一方の辺部に設けることにより、分解時にこの切れ込み部に容易に機械的な歪を入れ易くなるので、背景技術の課題を解決することができる。
【００１７】
また、本発明による他の画像表示装置は、好ましくは、上記構成において、切れ込み部の深さは、支持体の端面の幅寸法よりも浅くして形成することにより、分解時にこの切れ込み部に容易に機械的な歪を入れ易くなるので、背景技術の課題を解決することができる。
【００１８】
なお、本発明は、上記各構成及び後述する実施の形態に記載される構成に限定されるものではなく、本発明の技術思想を逸脱することなく、種々の変更が可能であることは言うまでもない。
【発明の効果】
【００１９】
本発明によれば、支持体の少なくとも一部に切れ込み部を設けることにより、分解時にこの切れ込み部に機械的な歪を入れ易くなるので、前面基板及び背面基板の一方または両方に損傷量を少なくして短時間で分解することが可能となり、分解時間が短縮され、これによってリサイクル化を低コストで実現可能となるなどの極めて優れた効果が得られる。
【発明を実施するための最良の形態】
【００２０】
以下、本発明の具体的な実施の形態について、実施例の図面を参照して詳細に説明する。
【実施例１】
【００２１】
図１は、本発明による画像表示装置の実施例１による電子放出型の表示装置の概略構成を説明する要部平面図、図２は図１のＡ−Ａ´線から切断した要部拡大断面図である。図１及び図２において、参照符号１は透光性ガラス板材からなる前面基板、２は前面基板１と同様に透光性ガラスまたはアルミナなどのセラミックス板材からなる背面基板であり、これらの前面基板１及び背面基板２は板厚が例えば約３ｍｍ程度の絶縁性基板から形成されている。
【００２２】
また、３はガラスまたはフリットガラス板材などの成形体を切断し、枠状に組み立てて接着固定させて形成された外枠を兼ねた支持体としての支持枠であり、この支持枠３は、前面基板１と背面基板２との間の周縁部に後述する封着部材１０ａ，１０ｂにより接着固定されて設置され、前面基板１と背面基板２との間の間隔を所定寸法、例えば約３ｍｍ程度に保持させている。
【００２３】
図３は上記支持枠３の構成を説明する図であり、図３（ａ）は上方から見た概略平面図、図３（ｂ）は図３（ａ）のＡ−Ａ´線から切断した断面図、図３（ｃ）は図３（ａ）のコーナー部Ｃの拡大平面図である。図３において、この支持枠３は、図３（ａ）に示すように四ヶ所にあるコーナー部Ｃには前面基板１側及び背面基板２側の角部の一部に内側から外側方向に拡がる空間領域（前面基板または背面基板との間隙）を形成するように斜め方向に切断されて形成された切れ込み３ａが一体的に設けられている。この切れ込み３ａの形状は、図３（ｃ）に示すように支持枠３の幅ａと、支持枠３の角部の内側から外側方向に向かう寸法ｂとがほぼ同一寸法（ａ＝ｂ）となるように三角錘状に切断されて形成されている。例えば支持枠３の幅ａが約５ｍｍの場合、各角部では深さｃが約２ｍｍ程度の切れ込み３ａを入れる。
【００２４】
したがって、図４にコーナー部Ｃの拡大断面図で示すように前面基板１と背面基板２との間にそれぞれ封着部材１０ｂ，１０ａを介して接合固定された支持枠３は、四ヶ所の各コーナー部Ｃでは外部側に切れ込み３ａが外部に露出され、これらの切れ込み３ａにはそれぞれ封着部材１０ａ，１０ｂが固着されない構造となっている。
【００２５】
また、図２に示す４は間隔保持部材としての板状のスペーサであり、このスペーサ４は、例えば約０．１ｍｍ程度以下の薄いガラス板またはアルミナ等のセラミックス板材を約３ｍｍ程度の幅（高さ寸法）に切断して形成され、前面基板１及び背面基板２の基板面にほぼ垂直で一方向（ｘ方向）に延在し、他方向（ｙ方向）に複数枚並設して後述する固定部材１１ａ，１１ｂにより固定配置され、支持枠３と協働して前面基板１と背面基板２との間の間隔を所定の寸法に保持させている。
【００２６】
また、５は電子放出素子群であり、この電子放出素子群５は、陰極配線と電子源と制御電極とから構成され、背面基板２上に所定の間隔で配置されている。この陰極配線は、背面基板２の内側表面に複数本が一方向（ｘ方向）に延在し、他方向（ｙ方向）に並設されている。この陰極配線の端部は、陰極配線引き出し線５１ａとして背面基板２の二辺に分けられて気密封着部の外側に引き出されている。この陰極配線は、例えば蒸着法などにより形成するか、または例えば粒径１〜５μｍ程度の導電性銀粒子に絶縁性を発現する低融点ガラスを混合した銀ペーストを厚膜印刷し、例えば約６００℃の温度で焼成して形成することなどにより設けられている。
【００２７】
また、制御電極は、陰極配線の上方に陰極配線と絶縁されて配置され、この制御電極の端部は、制御電極引き出し線５３ａとして背面基板２の他の一辺で気密封着部の外側に引き出されている。
【００２８】
さらに、背面基板２上に所定の間隔で配置された電子放出素子群５は、メタル−インシュレータ−メタル（ＭＩＭ）型の電子放出素子、量子論的トンネル効果による電子放出現象を利用する電子放出構造（表面伝導型電子源とも称される）素子、ダイアモンド膜やグラファイト膜またはカーボンナノチューブなどから形成されている。
【００２９】
また、参照符号６は、画像形成部材であり、この画像形成部材６は、蛍光体膜と、この蛍光体膜上に被着されたメタルバック膜と、ブラックマトリクス（ＢＭ）膜とから形成され、前面基板１の内面上に配置されている。
【００３０】
また、参照符号１０ａは、背面基板２と支持枠３の一方の端面とを封着する封着部材であり、この封着部材１０ａは、例えばＰｂＯとＢ2Ｏ3とＺｎＯとを主成分とする結晶化フリットガラスにより形成されている。また、参照符号１０ｂは、前面基板１と支持枠３の他方の端面とを封着する封着部材であり、この封着部材１０ｂは、例えばＰｂＯとＢ2Ｏ3とを主成分とする非晶質フリットガラスにより形成されている。
【００３１】
これらの封着部材１０ａ，１０ｂは、夫々支持枠３の上下端面に前面基板１と背面基板２とが配置されてｚ方向に積層された前面基板１と背面基板２との周縁部が気密封着されている。また、支持枠３と前面基板１，背面基板２とで囲繞された部分が図１に示す画像表示領域１２を構成しており、この表示領域１２の部分はその内部が真空状態に保持される。
【００３２】
ここで封着部材１０ａ，１０ｂを介して行う気密封着は、例えば窒素雰囲気中で例えば約４３０℃程度の温度で行い、その後、約３５０℃程度に加熱しながら、排気して真空に封止する方法で行う。なお、上記ｚ方向は重畳された前面基板１と背面基板２との直交する方向を示す。
【００３３】
また、参照符号１１ａ，１１ｂは、スペーサ４と前面基板１及び背面基板２とをそれぞれ固定する固定部材である。この固定部材１１ａは、例えばヒステリシス特性を有する物質としてＢ2Ｏ3とＰｂＯとＺｎＯとを主成分とする結晶化フリットガラスにより形成され、背面基板２とスペーサ４の下端面４２とが固定されている。また、固定部材１１ｂは、例えばＳｉＯ2とＢ2Ｏ3とＰｂＯとを主成分とする非晶質フリットガラスにより形成され、前面基板１とスペーサ４の上端面４１とが固定されている。例えば、これらの固定部材１１ａ及び固定部材１１ｂのうち、固定部材１１ｂは、スペーサ４の硬度とほぼ同等もしくは低い硬度を有する非晶質フリットガラスにより形成されている。
【００３４】
このような構成において、陰極配線上に配置された電子源から放射された電子は、約１００Ｖ程度のグリット電圧の印加された制御電極の電子通過孔で制御され、この電子通過孔を通過し、数ＫＶ〜１０数ＫＶの陽極電圧の印加された画像形成部材に向かい、メタルバック層（陽極）を通過して蛍光体層に射突して蛍光体を発光させ、映視像面に所望の表示を行う構成となっている。そして、陰極配線と制御電極との交差部にマトリクス状に単位画素が形成され、このマトリクス配列された画素で表示領域が形成される。一般的には単位画素の三個のグループで赤（Ｒ），緑（Ｇ），青（Ｂ）からなるカラー画素が形成される。
【００３５】
このように構成された画像表示装置において、前面基板１と背面基板２とを封着する支持枠３には、図４に示すように四ヶ所にある各コーナー部Ｃにその一部を内側から外側に向かって斜め方向に空間領域（前面基板または背面基板との間隙）が拡がるように切断して形成された切れ込み３ａが一体的に設けられているので、分解時には、図５に要部拡大断面図で示すようにこの切れ込み３ａに外部より刃物１３の先端部を矢印Ａ方向に挿入し易くなり、この刃物１３の本体に機械的応力を加えることにより、切れ込み３ａに機械的歪が入り易くなり、背面基板２から支持枠３が剥離され、背面基板２と支持枠３が固着された前面基板１とに二分割されるので、前面基板１及び背面基板２の一方または両方を損傷させ難く、容易に分解することができ、良品として取り出すことができる。
【００３６】
また、図５に示す分解手段に代えて前面基板１と封着される支持枠３の切れ込み３ａに上記同様に刃物１３の先端部を挿入することによっても、切れ込み部３ａに機械的な歪が入り易くなるので、上記同様に前面基板１から支持枠３が剥離され、前面基板１と支持枠３が固着された背面基板２とに二分割され、前面基板１及び背面基板２の一方または両方を損傷させ難く、容易に良品として分解することができる。
【実施例２】
【００３７】
図６は、本発明による画像表示装置の実施例２を説明する支持枠の構成を示す図であり、図６（ａ）は上方から見た概略平面図、図６（ｂ）は図６（ａ）のＡ−Ａ´線から切断した断面図である。図６において、図３と異なる点は、この支持枠３は、四ヶ所にある各コーナー部のうち、一ヶ所のみのコーナー部Ｃに前面基板１側及び背面基板２側にそれぞれその一部が斜め方向に切断されて形成された切れ込み３ａが一体的に設けられている。この場合の切れ込み３ａの寸法は前述した実施例１と同様である。なお、他の三ヶ所のコーナー部には切れ込み３ａは形成されていない構造となっている。
【実施例３】
【００３８】
図７は、本発明による画像表示装置の実施例３を説明する支持枠の構成を示す図であり、図７（ａ）は上方から見た概略平面図、図７（ｂ）は図７（ａ）のＡ−Ａ´線から切断した断面図である。図７において、図３と異なる点は、この支持枠３は、四ヶ所にあるコーナー部のうち、対角するコーナー部Ｃにおいて、一方は例えば前面基板１側の角部に、他方は対向する例えば背面基板２側の角部にそれぞれ切れ込み３ａが一体的に設けられている。この場合の切れ込み３ａの寸法は前述した実施例１と同様である。また、他の二ヶ所のコーナー部には切れ込み３ａは形成されていない構造となっている。
【実施例４】
【００３９】
図８は、本発明による画像表示装置の実施例４を説明する支持枠の構成を示す図であり、図８（ａ）は上方から見た概略平面図、図８（ｂ）は図８（ａ）のＡ−Ａ´線から切断した拡大断面図である。図８において、この支持枠３は、枠構造を構成する各四辺のうち、対向辺には内側から外側方向に拡がる空間領域（前面基板または背面基板との間隙）を形成するように斜め方向に切断されて形成された切れ込み３ａが一体的に設けられている。この切れ込み３ａの形状は、図８（ａ）に示すように支持枠３の幅をａとしたとき、支持枠３の内側から外側方向に向かう寸法ｃがａ＞ｃの関係を有して三角錘状に切断されて形成されている。例えば支持枠３の幅ａが約５ｍｍの場合、辺部では幅ｃが約２ｍｍ程度の深さの切れ込み３ａを入れる。
【００４０】
このように形成された支持枠３は、図９に要部拡大断面図に示すように前面基板１と背面基板２との間にそれぞれ封着部材１０ａ，１０ｂを介して接合固定され、これらの切れ込み３ａが外部に露出され、これらの切れ込み３ａにはそれぞれ部封部材１０ａ，１０ｂが固着されない構造となっている。
【００４１】
このような構成によれば、図５で説明した刃物１３による分解手段を用いて前面基板１または背面基板２と封着される支持枠３の切れ込み３ａに上記同様に刃物の先端部を挿入することによって上記同様に前面基板１または背面基板２から支持枠３が剥離され、前面基板１と背面基板２とに二分割され、前面基板１及び背面基板２の一方または両方を損傷させ難く、容易に分解することができる。
【００４２】
このように構成された画像表示装置において、前面基板１と背面基板２とを封着する支持枠３には、図８に示すように辺部の一部を切断して形成された切れ込み３ａが一体的に設けられているので、分解時には、上述と同様にこの切れ込み３ａに外部より刃物１３の先端部が挿入し易くなり、この刃物１３の本体に機械的応力を加えることにより、切れ込み３ａに機械的歪が入り易くなり、前面基板１または背面基板２から支持枠３が剥離され、前面基板１または背面基板２と支持枠３が固着された背面基板２または前面基板１とに二分割されるので、前面基板１及び背面基板２の一方または両方を損傷させ難く、容易に分解することができ、良品として取り出すことができる。
【００４３】
なお、この切れ込み３ａは、支持枠３の対向辺部で前面基板１側及び背面基板２側にそれぞれ設けた場合について説明したが、支持枠３の何れか一方の辺部に設けても良く、また前面基板１側または背面基板２側の一ヶ所に設けても良い。
【００４４】
なお、前述した各実施例において、支持枠３は、正矩形状に形成されている場合について説明したが、本発明はこの形状に限定されるものではなく、内側及び外側の枠形状が曲面状を有して形成された支持枠おいても、前述と全く同様の構成で同様の効果が得られることは言うまでもない。
【００４５】
また、前述した実施例においては、前面基板１と背面基板２とを封着する封着部材１０ａ，１０ｂを前面基板１側と背面基板２とで組成が異なる場合について説明したが、本発明はこれに限定されるものではなく、組成が同一の封着部材を用いても前述と同様の効果が得られる。
【００４６】
また、前述した実施例においては、前面基板１と背面基板２とを固定する固定部材１１ａ，１１ｂを前面基板１側と背面基板２とで組成が異なる場合について説明したが、本発明はこれにも限定されるものではなく、組成が同一の固定部材を用いても前述と同様の効果が得られる。
【００４７】
また、前述した実施例においては、画像表示装置として内面に蛍光体及びブラックマトリクスを有し、蛍光体及びブラックマトリクスの背面に陽極を有する前面基板を用いたＦＥＤに適用した場合について説明したが、本発明は、これに限定されるものではなく、プラズマディスプレイ（ＰＤＰ）やメタル−インシュレータ−メタル型電子放出源を有するパネル型ディスプレイに適用しても前述と全く同様の効果が得られることは勿論である。
【図面の簡単な説明】
【００４８】
【図１】本発明による画像表示装置の実施例１による構成を示す模式平面図である。
【図２】図１のＡ−Ａ´線の要部拡大断面図である。
【図３】図２の支持枠の構成を示す図である。
【図４】本発明による画像表示装置に係る支持枠のコーナー部の構成を示す要部拡大断面図である。
【図５】図４の支持枠のコーナー部の分解構造を示す要部拡大断面図である。
【図６】本発明による画像表示装置の実施例２による支持枠の構成を示す図である。
【図７】本発明による画像表示装置の実施例３による支持枠の構成を示す図である。
【図８】本発明による画像表示装置の実施例４による構成を示す図である。
【図９】本発明による画像表示装置に係る支持枠の辺部の構造を示す要部拡大断面図である。
【図１０】従来の画像表示装置の基本構造を示す要部断面図である。
【図１１】図１０に示す画像表示装置の背景技術の課題を説明する要部拡大断面図である。
【符号の説明】
【００４９】
１・・・前面基板、２・・・背面基板、３・・・支持枠（支持体）、３ａ・・・切れ込み、４・・・スペーサ（間隔保持部材）、５・・・電子放出素子群、５１ａ・・・陰極配線引き出し線、５３ａ・・・制御電極引き出し線、６・・・画像形成部材、１０ａ・・・封着部材、１０ｂ・・・封着部材、１１ａ・・・固定部材、１１ｂ・・・固定部材、１２・・・表示領域、１３・・・刃物。
【図１】
2006120478.tif 000003
【図２】
2006120478.tif 000004
【図３】
2006120478.tif 000005
【図４】
2006120478.tif 000006
【図５】
2006120478.tif 000007
【図６】
2006120478.tif 000008
【図７】
2006120478.tif 000009
【図８】
2006120478.tif 000010
【図９】
2006120478.tif 000011
【図１０】
2006120478.tif 000012
【図１１】
2006120478.tif 000013